(57)【要約】【課題】上下幅の狭い眼鏡フレームに装着された累進レンズのエッジ付近に位置する近用部を測定する際にも、レンズを安定して保持し、精度良く測定できるレンズメータを提供することを目的とする。【解決手段】被検レンズを載置台に押圧し、載置台との間で挟持する押圧手段の複数の押圧ピンのうち、載置台の中心位置より装置本体側に配された２本の押圧ピンを、前方方向に傾倒されるよう構成したレンズメータ。【選択図】図４
2015125076.tif 000002
【特許請求の範囲】
【請求項１】
投光手段と受光手段からなる光学測定手段と、
前記受光手段を内包するとともに、前記光学測定手段の測定光の光軸上に被検レンズを載置する載置台を有するレンズ載置手段と、
前記測定光が通過する開口部を有するとともに、前記開口部の外周囲に複数の押圧ピンを配列保持し、前記複数の押圧ピンで前記載置台に載置された前記被検レンズを前記載置台の方向に押圧するレンズ押圧手段と、
前記測定光の光軸と直交する方向に移動可能に設けられたレンズガイド手段と、を備え、前記レンズガイド手段が前記載置台に干渉しないよう開口された開口部を有するとともに、前記複数の押圧ピンのうち前記レンズガイド手段側に配された２本の押圧ピンが、前記レンズガイド手段の移動に伴って前記被検レンズと接する位置が前記レンズガイド手段の移動方向に変位するよう構成されたレンズメータ。
【請求項２】
前記複数の押圧ピンのうち前記レンズガイド手段側に配された２本の押圧ピンが、前記被検レンズを押圧する押圧力が他の押圧ピンの押圧力に比べて強くなるよう構成された請求項１記載のレンズメータ。
【発明の詳細な説明】
【技術分野】
【０００１】
本発明は、眼鏡用レンズの光学特性を測定するためのレンズメータに関する。
【背景技術】
【０００２】
近年、眼鏡フレームは、装着したときの上下方向の高さが小さくなり、このような眼鏡フレームに装填された遠用部と近用部の２点の焦点を有する累進レンズにおいては、近用部の焦点がレンズの下端部に近い位置になっている。
従来のレンズメータは、投光部と受光部からなる光学測定手段の測定光軸中の所定の位置に、被検レンズを載置する載置台を設け、載置台の上に載置した被検レンズを、押圧手段に設けた複数本の押圧ピンで押圧し、載置台と挟持する形で保持していた。
【０００３】
このような従来のレンズメータで下端面に近い位置に近用部が設けられた累進レンズを測定する場合、被検レンズの近用部を測定光の光軸中心に移動させようとすると、レンズを押圧する押圧ピンの一部がレンズ端面から外れ、被検レンズを安定して保持することができず、精度良く測定することができないという問題があった。
【０００４】
このような課題を解決するレンズメータが提案されている（特許文献１参照）。このレンズメータは、４本の押圧ピンを保持する押圧手段を載置台の中心位置に対して前方に移動するよう可能に構成したものである。
【先行技術文献】
【特許文献】
【０００５】
【特許文献１】特開２０１２−９３３４７
【発明の概要】
【発明が解決しようとする課題】
【０００６】
しかしながらこのような構成のレンズメータにおいては、押圧手段全体が前方方向に移動することにより４本すべての押圧ピンが移動し、被検レンズを押圧する中心位置が載置台の中心位置から前方方向にずれることになる。
４本の押圧ピンは、それぞれ個別に押圧するもので、その押圧力は被検レンズ面にキズ等を生じさせないよう小さな力に設定されていることから、被検レンズを押圧する中心位置が載置台の中心位置からずれると、被検レンズの下端部側が浮き上がる問題があった。
さらに、眼鏡フレームに装填された眼鏡レンズの測定においては、眼鏡レンズの下端部を装置側に向けて載置台に載置すると、眼鏡フレームの蔓の重力等により載置台を中心として被検レンズの下端部（載置台の中心位置から後方側）が浮き上がる方向に回転し、載地台上で静止することができないという特有の課題があり、押圧手段の４本の押圧ピンがすべて眼鏡レンズの下端部から離れる方向に移動すると、レンズを載置台上に安定して保持することができなくなる課題があった。
【０００７】
本発明は、上記課題を解決するためになされたものであり、近用部がレンズの端面に近い位置に設けられた眼鏡レンズにおいても、安定して保持することができ、精度良く測定できるレンズメータを提供することを目的とする。
【課題を解決するための手段】
【０００８】
上記目的を達成するため、本発明によるレンズメータは、投光手段と受光手段からなる光学測定手段と、前記受光手段を内包するとともに、前記光学測定手段の測定光の光軸上に被検レンズを載置する載置台を有するレンズ載置手段と、前記測定光が通過する開口部を有するとともに、前記開口部の外周囲に複数の押圧ピンを配列保持し、前記複数の押圧ピンで前記載置台に載置された前記被検レンズを前記載置台の方向に押圧するレンズ押圧手段と、前記測定光の光軸と直交する方向に移動可能に設けられたレンズガイド手段と、を備え、前記レンズガイド手段が前記載置台に干渉しないよう開口された開口部を有するとともに、前記複数の押圧ピンのうち前記レンズガイド手段側に配された２本の押圧ピンが、前記レンズガイド手段の移動に伴って前記被検レンズと接する位置が前記レンズガイド手段の移動方向に変位するよう構成されたものである。
このような構成により、近用部の測定において被検レンズを載置台上で移動させた場合においても、レンズガイド手段側に配された２本の押圧ピンがレンズガイド手段によって載置台の中央方向に変位するため、レンズ面から外れることなく、載置台の上端面にレンズを安定して保持することができる。
【０００９】
また、本発明によるレンズメータは、前記複数の押圧ピンのうち前記レンズガイド手段側に配された２本の押圧ピンが、前記被検レンズを押圧する押圧力が他の押圧ピンの押圧力に比べて強くなるよう構成されたものである。
このような構成により、近用部の測定において被検レンズの端面部を載置台の中央に位置させることにより重心が移動した場合においても、被検レンズを載置台上に保持することができる。また、レンズガイド手段側に配した２本の押圧ピンが載置台の中央方向に変位した場合において発生する押圧力の不均等を解消することができ、被検レンズを載置台上に保持することができる。
【発明の効果】
【００１０】
このようにレンズ押圧手段の複数の押圧ピンのうち、レンズガイド手段側すなわちレンズの下端面側に配された２本の押圧ピンが、被検レンズの面と接触する位置が前方向に変位するよう構成されることにより、レンズの端面部近傍を測定する場合において、押圧ピンがレンズ面から外れることなく、載置台の上端面にレンズを安定して保持することができる。さらに、レンズガイド手段が載置台との干渉を回避するために開口されていることから、被検レンズの下端部を載置台の中心即ち測定光の中心位置まで移動することが可能となり、下端部に近接した近用部の光学特性も精度よく測定することができる。
【図面の簡単な説明】
【００１１】
【図１】本発明の実施形態のレンズメータの主要構成部を表す外観図
【図２】眼鏡レンズを載置したレンズメータの外観図
【図３】レンズ押圧手段の通常時の状態を表す断面図
【図４】レンズ押圧手段の押圧ピンが傾倒した状態を表す断面図
【発明を実施するための形態】
【００１２】
以下、本発明によるレンズメータについて、実施の形態を用いて説明する。
【００１３】
（実施の形態１）
本実施の形態によるレンズメータは、単玉レンズや眼鏡フレームに装填された眼鏡レンズなどの光学特性を測定するもので、特にレンズの端部付近の光学特性も測定することができるよう構成したものである。本発明の実施の形態１によるレンズメータについて、図を用いて説明する。
【００１４】
図１は、レンズメータ１の主要構成部を表す外観図で、図２は測定するレンズとして眼鏡フレームに装填された眼鏡レンズを測定位置に載置した状態を表す外観図である。
レンズメータ本体１は、上方には測定光を投光する投光手段（図示しない）が、下方には投光手段からの測定光を受光する受光手段２がそれぞれ設けられている。
受光手段２には、測定光の光軸上に被検レンズ３（特に眼鏡レンズに限定する場合は眼鏡レンズと記す。以下同じ）を載置する載置台２１が設けられている。
レンズ押圧手段４は、被検レンズ３を載置台２１に押圧するもので、測定光が通過する開口部４１が設けられている。また、レンズ押圧手段４は、被検レンズ３を載置する際の操作に支障を与えないよう上方の退避した位置に保持されていて、被検レンズ３を載置した後、下降して被検レンズ３を押圧できるよう上下昇降可能に設けられている。
【００１５】
また、本体１には、載置台２１に載置された被検レンズ３の前後方向の移動を案内するレンズガイド手段５が設けられている。レンズガイド手段５は、例えば眼鏡フレームに装填された眼鏡レンズ３を測定する場合に乱視軸の方向が変化しないよう、一対の眼鏡レンズの下端部（眼鏡を装着したとき眼鏡レンズの下になる端面をいう。）を当接できるよう構成されている。
【００１６】
図３と図４は、被検レンズを押圧するレンズ押圧手段４と載置台２１近傍の詳細な構成を表す断面図である。なお、レンズ押圧手段４は、測定光の光軸位置で断面したものではない。
受光手段２は、載置台２１の内部に光学特性を計測するための基準となる指標が記された指標板２２と指標を撮像するＣＣＤイメージセンサなどの撮像素子２３が設けられている。また、載置台２１は測定光が通過する円形の穴が設けられ、上端面は多種の曲率を有する被検レンズ３と指標板２２との距離の変化が小さくなるよう、限りなく小径に構成されている。
【００１７】
レンズ押圧手段４は、測定光が通過する開口部４１の外周囲に測定光の光軸と平行に４本の押圧ピン４２が配されている。４本の押圧ピン４２は、それぞれその先端が下方に突出する方向に押圧ばね４３で付勢されていて、その下方向の先端が被検レンズ３の上面の曲面に倣って接触し、押圧ばね４３の付勢力で被検レンズ３を押圧する。
【００１８】
レンズガイド手段５は、その前面に一対の眼鏡レンズの下端部が当接される平面状のレンズ当接板５１が設けられている。
レンズ当接板５１は、左右に延伸した板状部材で、中央部には前方への移動時に載置台２１に干渉しない高さで、左右方向は、前面が曲面状の眼鏡フレームの形状に対応できるよう低い位置まで設けられている（図１参照、図では円弧状）。
また、レンズ当接板５１は、測定光軸より本体側（後方側）に位置し、前後方向に摺動可能に支持されている。レンズ当接板５１の移動範囲は、その前面が載置台２３の中心位置（測定光の光軸中心）まで前進し、使用後は本体１に格納される位置まで後退する。また、レンズ当接板５１は移動範囲内で自在な位置で停止することができるよう構成されている。
【００１９】
次に図４を用いて、本発明に係るレンズ押圧手段４とレンズガイド手段５の詳細な構造について説明する。
【００２０】
レンズ押圧手段４の４本の押圧ピン４２のうち、レンズ当接板５１に近い側に配置された２本の押圧ピン４２ａ、４２ｂは、その先端部が前方方向に傾倒可能に保持されている。レンズ当接板５１を本体１から前方方向に移動させたとき、レンズ当接板５１が２本の押圧ピン４２ａ、４２ｂの側面にそれぞれ当接し、２本の押圧ピン４２ａ、４２ｂはそれぞれ上方の回転軸４４を中心としてその先端が前方に傾倒される。レンズ当接板５１が後退すると２本の押圧ピン４２ａ、４２ｂは復帰ばね４５により傾倒が解除され、初期の位置で倒立される。
【００２１】
また、４本の押圧ピン４２は、それぞれ突出する方向に押圧ばね４３によって付勢されているが、傾倒される２本の押圧ピン４２ａ，４３ｂは、傾倒されることにより押圧力が低下するため、予めの他の２本より付勢力の強い押圧ばね４３が用いられている。
【００２２】
このように構成されたレンズメータを用いて、眼鏡フレームに装填された眼鏡レンズ、特に累進レンズの測定について説明する。
【００２３】
レンズ当接板５１を本体１から突出するよう前方に引き出し、レンズ当接板５１に眼鏡レンズ３の下端部を当接して、載置台２１の上端面に一方の眼鏡レンズ３を載置する。
次に、レンズ押圧手段４を下降すると眼鏡レンズ３は４本の押圧ピン４２と載置台２１の間に挟持された状態で保持される。
【００２４】
眼鏡レンズ３が累進レンズで、その遠用部を測定する場合においては、眼鏡レンズ３のほぼ中央部を載置台２１上に載置し、撮像素子２３で撮像された指標の画像をモニター（図示せず）で確認しながら、眼鏡レンズ３とレンズ当接板５１を一体に把持した状態で、遠用部の焦点位置が測定光の光軸中心に位置するよう移動する。表示画像から遠用部の焦点位置が定まると、遠用部の屈折度等の光学特性を測定する。
【００２５】
次に近用部を測定する場合においては、眼鏡レンズ３をレンズ当接板５１に当接した状態で、眼鏡レンズ３の下端部を載置台２１の中心位置方向に移動する。表示画像は、累進帯と称される領域と近用部の領域の画像が表示される。この時、近用部の焦点位置が眼鏡レンズ３の下端部に近い場合、押圧ピン４２ａ、４２ｂはレンズ当接板５１にそれぞれ当接する。さらに眼鏡レンズ３とレンズ当接板５１を移動すると、押圧ピン４２ａ、４２ｂは傾倒し、ピンの先端が前方側に配した押圧ピン４２ｃ、４２ｄの方向にそれぞれ近づくことになり、眼鏡レンズ３の下端面から外れることが回避される。表示画像から近用部の焦点位置が求まると近用部の光学特性の測定を行う。
【００２６】
以上のように、本実施の形態によるレンズメータによれば、近用部の焦点が端面付近に位置する累進レンズの測定においても、被検レンズ３を載置台２１に押圧する押圧ピン４２が被検レンズの面３から外れることなく、安定して保持することができる。その結果、近用部の光学特性が精度良く測定することができる。
【００２７】
以上、本実施の形態では、被検レンズ３を押圧する押圧ピン４２のうち２本の押圧ピン４２ａ，４２ｂをレンズ当接板５１によって傾倒するよう説明したが、これに限らず、例えば２本の押圧ピン４２ａ，４２ｂをレンズ当接板５１と平行に移動するよう構成することで、被検レンズ３との接触位置を載置台２３の中心方向に移動するよう構成しても良く、被検レンズから外れることを回避する同様の効果を得ることができる。
【００２８】
また、本実施の形態では、被検レンズ３を押圧する押圧ピン４２を４本とし、うち２本を傾倒しない構成を説明したが、押圧ピン４２を３本にし、測定光の外周囲に本体１の最前方側を起点として均等間隔に配置し、起点に配した押圧ピン４２を傾倒しないで、レンズ当接板５１に近い位置に配した２本の押圧ピン４２を傾倒するよう構成しても良い。
【００２９】
また、本実施の形態の図４で示すように押圧ピン４２ａ，４２ｂに特設レンズ当接板５１が当接するよう構成したが、別部材を設けて間接的に押圧ピン４２を傾倒することも可能であり、同様の効果を得ることができる。
【産業上の利用可能性】
【００３０】
以上により、本発明によるレンズメータによれば、眼鏡レンズの下端部に位置する近用部の光学特性も精度良く測定することができ、測定対象物に影響されないレンズメータとして有用である。
【符号の説明】
【００３１】
１    レンズメータ本体
２    受光部
３    被検レンズ
４    レンズ押圧手段
５    レンズガイド手段
２１  載置台
２２  指標板
２３  撮像素子
４２  押圧ピン
４３  押圧ばね
５１  レンズ当接板
【図１】
2015125076.tif 000003
【図２】
2015125076.tif 000004
【図３】
2015125076.tif 000005
【図４】
2015125076.tif 000006